(57)【特許請求の範囲】
【請求項１】
建物の外壁に設けられる開口部に設置されるガラス面よりも屋内側で当該開口部に取り付けられる枠体と、該枠体に支持されて当該開口部を覆う面材とを備えた防犯スクリーン装置であって、
前記枠体は、
前記ガラス面よりも屋内側で開口部に留め付けられる留付け部と、
前記面材のガラス面側表面の周縁部に重なり可能に立ち上がる立上り部とを備えると共に、
該立上り部のガラス面側表面を覆う覆い部が前記枠体の全周に亘って設けられている
ことを特徴とする防犯スクリーン装置。
【請求項２】
前記面材は前記ガラス面に対向する平板状に形成され、面材の屋内表面から枠体の立上り部に向けてビス等の留付け具を打ち込んで留付けられるものであって、
前記覆い部は、前記立上り部の先端部から前記ガラス面側に向けて少なくとも前記留付け具の軸部の長さよりも大きい長さを有して延びる鍔部と、該鍔部の先端部から延在して前記立上り部のガラス面側表面に対向する対向壁部とを備えている
ことを特徴とする請求項１に記載の防犯スクリーン装置。
【請求項３】
前記枠体の立上り部は、前記留付け部よりもガラス面側に寄せた状態で設けられていることを特徴とする請求項１又は請求項２に記載の防犯スクリーン装置。
【請求項４】
前記枠体には、
前記立上り部を前記留付け部よりもガラス面側に寄せた位置に配置するセットバック部と、
前記ガラス面側からみて前記立上り部よりも遠い位置に当該立上り部と平行に前記セットバック部から立ち上がって前記面材を押さえる押え壁と、
が設けられていることを特徴とする請求項１乃至請求項３のいずれかに記載の防犯スクリーン装置。
【請求項５】
前記枠体は、前記開口部に室内側から取り外し可能に留めつけられており、前記枠体のいずれかの位置には、把持部が突設又は着脱可能に設けられている
ことを特徴とする請求項１乃至請求項４のいずれかに記載の防犯スクリーン装置。
【請求項６】
前記面材は、前記ガラス面に対向する長方形状又は正方形状の平板部と、該平板部の少なくとも互いに対向する一対の端面に設けられる一対のリブ部を備えた断面コ字状に形成され、前記平板部の屋内表面から前記枠体の立上り部に向けてビス等の留付け具を打ち込んで留付けられるものであって、且つ、前記平板部の周縁部を前記枠体の立上り部に当接させると共に前記リブ部を前記枠体の留付け部に当接させた状態で設置されており、
前記留付け部には、前記リブ部の先端部を覆う覆い片が突設されている
ことを特徴とする請求項１乃至請求項５のいずれかに記載の防犯スクリーン装置。
【発明の詳細な説明】
【技術分野】
【０００１】
本発明は、防犯スクリーン装置に関する。さらに詳述すると、本発明は、建物外壁の開口部のガラス面よりも屋内側に設けられる防犯スクリーン装置の構造の改良に関する。
【背景技術】
【０００２】
泥棒などの侵入防止といった防犯を目的として、建物外壁に形成される窓等を屋外側から面格子によって覆うことが行われている。また、竪滑り、横滑り窓、滑り出し窓などに対し、当該窓よりも屋内側に取り付けられる面格子（内付け面格子）も提案されている。このような面格子が設けられていれば、窓が開いた状態でも人が侵入することを阻止することはできるが、格子間の隙間から手が入るので悪さをされたり、危険物を投入されたり、棹などの各種ツールを差し込まれて他の開口部を開錠されてしまうといった迷惑行為を受けてしまうこと、さらには故意でなくとも過失により窓等が破損してしまうことは起こりうる。
【０００３】
この点、特許文献１には、建物の開口部に設置されるガラス面よりも屋内側にパンチングメタルからなる防犯スクリーン装置を設けた構成が開示されている。より具体的には、ガラス面よりも屋内側にアングル材を立設し、当該アングル材の立上り部にパンチングメタルの周縁部を重ねあわせ、屋内側からビスを締結する構成となっている。ところが、当該構成にあっては、ガラス面側からビスの突出位置を視認することができるため、悪意を有する者にとってみれば当該ビスの箇所に集中して破壊工作を行えばよいと当りをつけることができ、防犯面で十分でない部分がある。
【０００４】
また、特許文献２には、屋内側に取り付ける面格子であって、当該面格子の開口部枠体への取り付け部をカバー体により隠す構成が開示されている。
【先行技術文献】
【特許文献】
【０００５】
【特許文献１】特開２００３−１４８０６０号公報
【特許文献２】特開２００６−３７４４９号公報
【発明の概要】
【発明が解決しようとする課題】
【０００６】
しかしながら、当該特許文献２に開示の構成にあっては、カバー体が面格子本体とは別体として設けられるため、部品数が増加するのみならず、当該カバー体を設置する工程を要するので面格子の着脱作業も手間となるという問題があった。
【０００７】
そこで、本発明は、設置手間と部品点数とを可及的削減しつつも高い防犯性を発揮することができる防犯スクリーン装置を提供することを目的とする。
【課題を解決するための手段】
【０００８】
（１）上記課題を解決すべく、本発明は、建物の外壁に設けられる開口部に設置されるガラス面よりも屋内側で当該開口部に取り付けられる枠体と、該枠体に支持されて当該開口部を覆う面材とを備えた防犯スクリーン装置であって、前記枠体は、前記ガラス面よりも屋内側で開口部に留め付けられる留付け部と、前記面材よりもガラス面側にて前記面材の周縁部に重なり可能に立ち上がる立上り部とを備えると共に、該立上り部のガラス面側表面を覆う覆い部が前記枠体の全周に亘って設けられていることを特徴とする。
【０００９】
本発明においては、枠体の覆い部によって立上り部のガラス面側表面が覆われ、また、当該覆い部が枠体の全周に亘って設けられているので、外部（ガラス面側）からは、枠体に対して面材を留付けている部分が目視できない。これによれば、枠体に対する面材の留付け位置が特定されて外側からツールで破壊されるといった迷惑行為を防止あるいは抑止し、より高い防犯性を発揮することが可能である。
【００１０】
また、本発明においては、覆い部が留付け部から延在して形成されており、しかもこれらは一体であるので、建物外壁の開口部に枠体を取り付けるだけで当該開口部にて立上り部のガラス面側表面を覆い部により覆った状態とすることができ、従来装置に比べて設置に要する手間が少なくて済む。また、上述のように覆い部と留付け部とを一体とした構成であることから、本発明によれば部品店数の削減を図ることもできる。
【００１１】
（２）前記面材は、前記ガラス面に対向する平板状に形成されて、面材の屋内表面から枠体の立上り部に向けてビス等の留付け具を打ち込んで留付けられるものであって、前記覆い部は、前記立上り部の先端部から前記ガラス面側に向けて少なくとも前記留付け具の軸部の長さよりも大きい長さを有して延びる鍔部と、該鍔部の先端部から延在して前記立上り部のガラス面側表面に対向する対向壁部とを備えていることが好ましい。
【００１２】
この防犯スクリーン装置においては、枠体の全周に亘って立上り部と覆い部の対向壁部との間には留付け具の軸部を収容するだけの余裕が設けられるので、いずれの位置であっても留付け具を取り付けることができ、施工性の向上が図られている。
【００１３】
（３）前記枠体の立上り部は、前記留付け部よりもガラス面側に寄せた状態で設けられていることが好ましい。
【００１４】
これにより、開口部のガラス面側よりも屋内側の空間であって面材よりも屋内側となる空間が増すこととなり、開口部前空間の自由度が向上することとなる。
【００１５】
（４）前記枠体には、前記立上り部を前記留付け部よりもガラス面側に寄せた位置に配置するセットバック部と、前記ガラス面側からみて前記立上り部よりも遠い位置に当該立上り部と平行に前記セットバック部から立ち上がって前記面材を押さえる押え壁と、が設けられていることが好ましい。
【００１６】
立上り部と面材の継ぎ目に例えばツールの先端を差し込まれた場合、梃子（てこ）の原理で防犯面が破壊されかねない。この点、上述のごとき押え壁を有する防犯スクリーン装置によれば、面材の周縁部は立上り部と押え壁の間に嵌まり込むこととなるので、梃子の原理を有効に効かせ難いものとなり、これによって面材の外れを防止することが可能となる。
【００１７】
（５）前記枠体は、前記開口部に室内側から取り外し可能に留めつけられており、前記枠体のいずれかの位置には、把持部が突設又は着脱可能に設けられていることが好ましい。
【００１８】
このような防犯スクリーン装置を採用した場合、当該枠体の取り付け、取り外しの際、把持部に手を掛けて枠体ごと防犯スクリーン装置を開口部から取り外すことができ、当該開口部に取り付けられる窓等を清掃することができる。また、当該枠体の取り付け、取り外しの際、把持部に手を掛け、枠体の開口部への位置決め等の保持を良好に行うことができる。
【００１９】
さらに、前記面材は、長方形状又は正方形状の平板部と、該平板部の少なくとも互いに対向する一対の端面に設けられる一対のリブ部を備えた断面コ字状に形成され、前記平板部の屋内表面から枠体の立上り部に向けてビス等の留付け具を打ち込んで留付けられるものであって、平板部の端部を前記枠体の立上り部に当接させると共に前記リブ部を前記枠体の留付け部に当接させた状態で設置されており、前記留付け部には、前記リブ部の先端部を覆う覆い片が突設されていることが好ましい。
【００２０】
これによれば、面材の少なくとも一対の端面にリブ部が設けられることとなるので、面材の面内剛性の向上が図られるものとなる。また、当該リブ部の端部が留付け部の覆い片に覆われることとなるので、屋内側から見た場合にも面材の端部が露出した状態とならず、見栄えがよい。
【発明の効果】
【００２１】
本発明によれば、設置手間と部品点数とを可及的削減しつつも高い防犯性を発揮することができる。
【図面の簡単な説明】
【００２２】
【図１】本発明の一実施形態に係る防犯スクリーン装置等の側面図である。
【図２】枠体（上枠、下枠）およびその周辺の構造例を拡大して示す側面図である。
【図３】防犯スクリーン装置等の構造例を示す平面図である。
【図４】枠体（竪枠）およびその周辺の構造例を拡大して示す平面図である。
【図５】本発明の第２の実施形態を示す防犯スクリーン装置の主要部のみの側面図である。
【図６】本発明の第２の実施形態を示す防犯スクリーン装置の上枠周辺の側面図である。
【図７】本発明の第２の実施形態を示す枠体の把持部の斜視図である。
【図８】本発明の第３の実施形態を示す枠体周辺の側面図である。
【図９】本発明の第３の実施形態における別例を示す枠体周辺の側面図である。
【図１０】留付け具として蝶ボルトを用いた場合の防犯スクリーン装置の側面図である。
【図１１】留付け具として蝶ボルトを用いた場合の防犯スクリーン装置の一部を示す平面図である。
【図１２】本発明の第４の実施形態を示す防犯スクリーン装置の平断面図である。
【図１３】図１２の一部を拡大して示す図である。
【発明を実施するための形態】
【００２３】
以下、図面を参照しつつ本発明に係る防犯スクリーン装置の実施形態について詳細に説明する。
【００２４】
＜第１の実施形態＞
本発明に係る防犯スクリーン装置１は、建物１０の外壁１１に設けられる開口部（一例として、浴室の窓）１２に設定されるガラス面よりも屋内側に枠体３を設け、該枠体３によって多孔質板（面材）２を支持してなる装置である。
【００２５】
枠体３は、開口部１２のガラス面（図１、図３においてガラスを符号１６で示し、ガラス面を符号１６ｆで示す）よりも屋内側に配置されて多孔質板２をガラス面１６ｆよりも屋内側にて保持する部材である（図１、図２等参照）。本実施形態では、上下左右に配置された４つの枠体（上枠３Ａ、下枠３Ｂ、左右竪枠３Ｃ）によって矩形の多孔質板２の各辺を支えるようにしている。本実施形態の上枠３Ａ、下枠３Ｂは、留付け部３１、立上り部（裏当て部）３２、覆い部３３、セットバック部３４等を有しており、左右竪枠３Ｃは、留付け部３１、立上り部（裏当て部）３２、覆い部３３等を有する（図２、図４等参照）。
【００２６】
留付け部３１は、ガラス面１６ｆよりも屋内側で開口部１２に留め付けられる部分である。枠体３は、開口部１２の四周を覆う窓枠（例えば木枠等）に対し、この留付け部３１を例えばビス１４で留め付けられることによって窓枠に密着した状態で固定されている（図１〜図４参照）。本実施形態では、この留付け部３１を、開口部１２に対して多孔質板２を屋内側から留め付ける際のガイドとしても機能させるべく、連続した直線状に設けている。さらに、本実施形態の留付け部３１は、開口部１２の枠体等にビス４を用いて隙間なく固定することができるように面状部によって構成されている（図２等参照）。
【００２７】
立上り部３２は、多孔質板２よりもガラス面１６ｆ側にて多孔質板２の周縁部２１に重なり可能に立ち上がる壁部からなる。本実施形態では、この立上り部（裏当て部）３２の屋内側を向く面に多孔質板２の周縁部２１を当接させ、ビス４で留め付けている（図１〜図４参照）。
【００２８】
覆い部３３は、立上り部３２のガラス面１６ｆ側表面を覆うように形成されている。本実施形態では、枠体３の一部が折り曲げられたような形状として当該部分に覆い部３３を形成し、留付け部３１から当該覆い部３３まで連続して一体化した構造の枠体３としている（図２等参照）。さらに、本実施形態では、立上り部３２のガラス面１６ｆ側表面を覆う覆い部３３が、枠体３の全周に亘って連続するように設けている（図１、図３等参照９）。覆い部３３の形状は特に限定されないが、本実施形態では鍔部３３ａと対向壁部３３ｂとを備えた形状としている（図２等参照）。
【００２９】
鍔部３３ａは、立上り部３２の先端部からガラス面１６ｆ側に向けて延びるように形成されている。該鍔部３３ａのガラス面１６ｆ側に向けての延び（立上り部３２から対向壁部３３ｂまでの長さ）を、ビス４の軸部の長さよりも大きくすれば、多孔質板２をビス４で枠体３に留め付けた際、当該ビス４の軸部を収容するだけのスペースが形成される。これによれば、ビス４で多孔質板２を留め付ける際、どの位置のビス４であっても当該ビス４の軸部が対向壁部３３ｂに当接するようなことがなくなるため、施工性（多孔質板２や枠体３の施工のしやすさ）を向上させることができる。
【００３０】
対向壁部３３ｂは、鍔部３３ａの先端部から延在して立上り部３２のガラス面１６ｆ側表面に対向するように形成されている。この対向壁部３３ｂの延在長さ（鍔部３３ａからの突出量）は、ガラス面１６ｆ側に位置する者から見て、立上り部３２からのビス４の突出位置（つまりはビス４が設けられている位置）が視認できない程度に覆われているものであれば特に限定されることはない。
【００３１】
セットバック部３４は、立上り部３２を留付け部３１よりもガラス面１６ｆ側に寄せた位置にセットバック配置する部位として形成されている。本実施形態の枠体３は、留付け部３１から該セットバック部３４と通じて立上り部３２に至るまでクランク状となり、当該セットバック部３４が窓枠等の内側（一例として、網戸取り付け用の溝やフィン等）と接するように形成されている（図２参照）。このようなセットバック部３４によれば、開口部１２のガラス面１６ｆ側よりも屋内側であり尚かつ多孔質板２よりも屋内側である空間が増すこととなり、圧迫感がなくなり、開口部１２前の空間の自由度が向上する。例示すれば、このようなセットバック部３４により多孔質板２をガラス面１６ｆ側にセットバック配置すれば、例えば外開き窓の開閉に使うオペレーター１５を回転させる際に多孔質板２が邪魔になるようなことがないし、オペレーター１５の折り畳み格納時に当該オペレーター１５の一部が多孔質板２に当接するようなこともない。
【００３２】
多孔質板２は、外壁１１の開口部１２のガラス面１６ｆに対向する面材の一例として設けられている。多孔質板２の孔（図示省略）は、例示すれば直径1.5ｍｍ〜2ｍｍ程度の円形またはそれに匹敵する多角形が多数穿たれた極小のものであることが好ましい。このような孔によれば、蚊などの害虫が外部から侵入するのを阻止することができる。また、多孔質板２に穿たれた孔の開口率は、例えば40％〜60％の間であれば、当該多孔質板２の強度を保ちつつ、これら孔を通じての通風換気や視界も保ちやすくなるという点で好ましい。しかも、従来のような格子とは異なり、このような多孔質板２は網戸に近い見え方でありその点での印象がよい。この多孔質板２は、当該多孔質板２の屋内表面から枠体３の立上り部３２に向けてビス４で留め付けられる（図２等参照）。
【００３３】
ここまで説明した本実施形態の防犯スクリーン装置１においては、枠体３の全周に亘って設けた覆い部３３によって、立上り部３２のガラス面１６ｆ側表面を覆う構成としているので、枠体３に対して多孔質板２を留付けている部分が、外部（ガラス面１６ｆ側）の者からは視認できないようになっている。これによれば、外部の者から見た場合に、枠体３に対する多孔質板２の留付け位置が特定されてしまうのを避けることができるため、外側からツールで破壊するといった迷惑行為を防止あるいは抑止することができる。
【００３４】
また、この防犯スクリーン装置１においては、覆い部３３が留付け部３１から延在した状態で一体形成されているので、開口部１２に枠体３を取り付けると同時に、立上り部３２のガラス面１６ｆ側表面を覆い部３３により覆った状態とすることができる。このため、この防犯スクリーン装置１によれば、従来装置に比して設置に要する手間が少なくて済むし、部品店数の削減にもつながる。
【００３５】
さらに、本実施形態の防犯スクリーン装置１においては、立上り部３２が多孔質板２の周縁部２１に重なり、当該重なり部分にビス４を穿てば多孔質板２を枠体３に取り付けることができることから、多孔質板２をその周縁部２１に至るまで平板な状態を維持することができる。このため、多孔質板２の製作が簡便であり、しかも重ねて設置できるため養生も容易となり、量産性を向上させることが可能である。
【００３６】
また、本実施形態の防犯スクリーン装置１は屋内側から設置できるので、リフォームなどで後設置が簡単である。しかも、ビス４、あるいは枠体３を取り付けるビス１４を利用した構造であるから、これらビスを屋内側から回転させることで当該防犯スクリーン装置１を簡単に着脱することが可能である。
【００３７】
さらに、本実施形態の防犯スクリーン装置１においては、多孔質板２を枠体３に隙間なく接触させることができ、害虫の浸入を防止することができるので網戸を省略できる。また、窓を開放状態としても屋内にツールが差し入れられたりするのを防止ないし抑止することができるので、夜間就寝や留守の際に窓を開放し換気通風をとっても防犯性が高い。さらに、従来のような網戸であればペットが当該網戸を破って戸外に出てしまうおそれがあるが、本実施形態の防犯スクリーン装置１によればそのようなおそれがない。
【００３８】
＜第２の実施形態＞
本実施形態における防犯スクリーン装置１の枠体３（例えば上枠３Ａ）には手前ないし下方に突出する把持部５が突設されている（図５参照）。把持部５は、例えば上枠３Ａの端部が延長されたものであってもよいし、当該延長部分がさらに折り曲げられたものであってもよい。例えば、上枠体３Ａのセットバック部３４を延長してその全部または一部を折り曲げることで、手掛かりや持ち手として機能しうる把持部５を形成することができる。
【００３９】
このような防犯スクリーン装置１を採用した場合、枠体３の取り付け、取り外しの際、作業者は把持部５に手を掛けて枠体３ごと防犯スクリーン装置１を開口部１２から取り外すことができるため便宜である。したがって、例えば開口部１２に取り付けられる窓等を清掃する等の際に重宝である。また、枠体３の取り付けや取り外しの際、把持部５に手を掛け、枠体３の開口部１２への位置決め等の際に保持しやすくなるという利点もある。
【００４０】
把持部５は、枠体３の他の位置に設けられていてももちろん構わない。例示すれば、水平方向に延びるバー（手掛かり）の両端を支持部を介して枠体３に取り付けて把持部５を形成してもよい（図６、図７参照）。また、枠体３に対して把持部５を着脱可能とし、必要時以外は取り外せるようにしておいても構わない。
【００４１】
＜第３の実施形態＞
本実施形態における防犯スクリーン装置１においては、ガラス面１６ｆ側からみて立上り部３２よりも遠い位置に、該立上り部３２と平行にセットバック部から立ち上がる押え壁３５が設けられている（図８、図９参照）。このような押え壁３５を有する防犯スクリーン装置１によれば、多孔質板２の周縁部２１を立上り部３２と押え壁３５との間に位置させることにより、多孔質板２の外れ防止機能をさらに強化することができる。例えば、立上り部３２と多孔質板２の継ぎ目にツールの先端などを差し込まれた場合、当該ツールを傾かせると梃子（てこ）の原理で防犯面が破壊されかねないが、このような防犯スクリーン装置１によれば梃子の原理を有効に効かせ難いものとすることが可能である。
【００４２】
しかも、本実施形態の防犯スクリーン装置１には、多孔質板２の端面を隠す効果もある。すなわち、多孔質板２の切断面たる端部（端面）は、場合によっては孔の中途部に切断面が一致することでギザギザ状になっていて真っ直ぐではなかったり、あるいは施工上は許容できる程度に僅かに斜めになっていたりする場合があるが、この防犯スクリーン装置１によれば当該多孔質板２の端部を覆い隠すことができる。これによれば、屋内側から見た場合にも多孔質板２の端部が露出した状態とならず、見栄えがよい。
【００４３】
このような押え壁３５の立上がり（高さ）は、小さくても大きくても構わない。立上がりが小さい場合は多孔質板２に直接ビス４が打ち込まれる（図８参照）。一方、立上がりが大きい場合は、この押え壁３５にビス４が打ち込まれ、押え壁３５、多孔質板２、立上り部３２にビス４が通過した状態（共縫い状態）となる（図９参照）。
【００４４】
＜第４の実施形態＞
図１２に示す如く、本実施形態における防犯スクリーン装置においては、パンチングメタルにより形成される多孔質板２が、長方形状の平板部２２と、該平板部２２の互いに対向する一対の縦端部に沿って立ち上がるように折り曲げられて形成される一対のリブ部２３とを備えて形成されている。なお、本実施形態の多孔質板２は、平板状のパンチングメタルの一対の縦端部を折り曲げることで形成されているが、平板状の多孔質板２の一対の縦端部に、アングル材の如きリブを形成する部材を溶接等により固定する構成も採用可能である。かかる多孔質板２を採用することにより、当該多孔質板２の剛性が高められるものとなっているのである。また、多孔質板２の一対の縦端部に代えて、上下一対の横端部にリブ部を設ける構成も採用可能であり、さらには、一対の縦端部と上下一対の横端部の何れにもリブ部を設ける構成も採用可能である。
【００４５】
また、当該多孔質板２は、枠体３の立上り部３２に平板部２２の周縁部（周縁の近傍部分を含む）が当接すると共に、枠体３の留付け部３１にリブ部２３が当接した状態で枠体３に設置され、平板部２２の端部から立上り部３２に向けてビス４を打ち込むことで、多孔質板２は当該枠体３に固定されている。
【００４６】
また、枠体３の留付け部３１には、上述の如く枠体３に設置された多孔質板２のリブ部２３の先端部を覆う覆い片３１１が突設されている（図１３参照）。当該覆い片３１１は、リブ部２３の先端部の小口面に対向する突出部３１１ａと、当該突出部３１１ａから屈曲して延在してリブ部２３の内面側に対向する屈曲部３１１ｂとを備えて形成されており、これによって、リブ部２３の先端部は当該覆い片３１１によって室内側への露出が免れるものとなっている。
【００４７】
具体的には、本実施形態において、多孔質板２は、平板状のパンチングメタルの一対の端面を折り曲げてリブ部２３が形成されているため、多孔質板２全体の強度の向上が図られており、多孔質板２を設置した状態で平板部２２が波打ってしまう等の不具合を可及的解消することができる。また、当該リブ部２３によって強度の向上が図られるので、多孔質板２を薄くして多数の孔をより形成しやすくし、これによって多孔質板２の透過率の自由度を高めることも可能となっているのである。
また、リブ部２３の小口面が平板状のパンチングメタルの切断面に一致する等して端面が鋭利になっていたりギザギザ状になっていて真っ直ぐではない等していたり、あるいは施工上は許容できる程度に僅かに斜めになっていたりする場合があるが、当該多孔質板２の小口面は留付け部３１の覆い片３１１により覆い隠されるものとなる。これによれば、屋内側から見た場合にも多孔質板２の端部が露出した状態とならず、見栄えがよい。また、多孔質板２のリブ部２３と枠体３の留付け部３１との間に水分が結露したり滴り落ちるような場合にもこのような様子が見えず、見栄えがよい。
【００４８】
なお、上述の実施形態は本発明の好適な実施の一例ではあるがこれに限定されるものではなく本発明の要旨を逸脱しない範囲において種々変形実施可能である。例えばここまで説明した実施形態では多孔質板２を枠体３に留め付けるための留付け具の一例としてビス４を例示したがこれは好適例にすぎず、このほかに蝶ボルト等を利用することもできる。留付け具として例えば蝶ボルト（または蝶ボルトとナットとの組合わせ）４’を用いた場合は、工具を用いずとも手動で締めたり緩めたりして着脱することも可能となる（図１０、図１１参照）。なお、例えば下枠３Ｂや左右竪枠３Ｃに蝶ボルト４’が入り込むだけのスペースが形成されている場合は、上述したビス４を蝶ボルト４’に代えてもよいが、スペースがない場合は、上枠３Ａに別の取り付け枠３’を加え、上枠３Ａの形状を変更する等により対応することもできる（図１０参照）。蝶ボルト４’に対応してナットを用いる場合、下枠３Ｂ、左右竪枠３Ｃに用いられるナットを窓のサッシ枠内に内蔵することもできる。
【産業上の利用可能性】
【００４９】
本発明は、建物の外壁に設けられる開口部を屋外側から覆う防犯スクリーン装置に適用して好適である。
【符号の説明】
【００５０】
１…防犯スクリーン装置、２…多孔質板（面材）、３…枠体、４…ビス（留付け具）、５…把持部、１０…建物、１１…外壁、１２…開口部、１６ｆ…ガラス面、２１…周縁部、２２…平板部、２３…リブ部、３１…留付け部、３１１…覆い片、３２…立上り部、３３…覆い部、３３ａ…鍔部、３３ｂ…対向壁部、３４…セットバック部、３５…押え壁
【図１】
0005815989.tif 000002
【図２】
0005815989.tif 000003
【図３】
0005815989.tif 000004
【図４】
0005815989.tif 000005
【図５】
0005815989.tif 000006
【図６】
0005815989.tif 000007
【図７】
0005815989.tif 000008
【図８】
0005815989.tif 000009
【図９】
0005815989.tif 000010
【図１０】
0005815989.tif 000011
【図１１】
0005815989.tif 000012
【図１２】
0005815989.tif 000013
【図１３】
0005815989.tif 000014